(57)【要約】【課題】従来の電気コネクタは、コンタクトに形成された突起が、同コンタクトの幅方向外縁より上方に延出して（同方向に穿孔する）ハウジングのコンタクト挿入孔に圧入されるため、上方向へのこじり力に弱く、下方向に外れ易いといった欠点があり、また、Ｌ長が確保しづらく、コンタクトの位置決め（突き当て）が困難である。【解決手段】複数のコンタクトを収容して回路基板上に実装されるハウジングと、該ハウジングに摺動自在に組み付けられるスライド部材とを備え、前記ハウジングに受容されるフレキシブル基板を前記スライド部材と前記コンタクトとの間に弾性的に狭持して同フレキシブル基板とコンタクトを電気的に接続せしめる電気コネクタにおいて、前記コンタクト１の厚み方向に突起１ｄを設けると共に、前記ハウジング２のコンタクト挿入孔２ａに、前記突起１ｄを受容する凹部を形成してなる電気コネクタＡである。【選択図】　　　　図２
2004079303.tif 000002
【特許請求の範囲】
【請求項１】
複数のコンタクトを収容して回路基板上に実装されるハウジングと、該ハウジングに摺動自在に組み付けられるスライド部材とを備え、前記ハウジングに受容されるフレキシブル基板を前記スライド部材と前記コンタクトとの間に弾性的に狭持して同フレキシブル基板とコンタクトを電気的に接続せしめる電気コネクタにおいて、前記コンタクトの厚み方向に突起を設けると共に、前記ハウジングのコンタクト挿入孔に、前記突起を受容する凹部を形成してなることを特徴とする電気コネクタ。
【発明の詳細な説明】
【０００１】
【発明の属する技術分野】
本発明は電気コネクタの改良に関し、更に詳しくは、低ハイトのフレキシブルプリント回路基板（以下、単にＦＰＣという）やフレキシブルフラットケーブル（以下、単にＦＦＣという）用のコネクタにおいて、コンタクトの位置決め及び固定が簡単にできる有用なＦＰＣ／ＦＦＣ用の電気コネクタに関する。
【０００２】
【従来の技術】
従来、斯かるＦＰＣ／ＦＦＣ用の電気コネクタとしては、例えば、特開平１１−２０４２１３号公報に開示されたものが従来例として周知である。この従来例におけるＦＰＣ／ＦＦＣ用コネクタは、図８に示すように、回路基板Ｂ上に半田付けされる複数のコンタクト１，１…を位置決め収容するハウジング２と、ＦＰＣ３の各ランド３ａと各コンタクト１，１…とに接触圧力を与えるスライド部材（スライダー）４とを備えてなり、前記各コンタクト１，１…には、幅方向外縁より上方に延出してハウジング２のコンタクト挿入孔２ａ，２ａ…に圧入される突起（圧入脚）１ａ，１ａ…が形成されている。
【０００３】
【発明が解決しようとする課題】
しかしながら、上述した従来の電気コネクタにあっては、前記コンタクト１の突起１ａが、同コンタクト１の幅方向外縁より上方に延出して（同方向に穿孔する）ハウジング２のコンタクト挿入孔２ａ，２ａ…に圧入されるため、▲１▼上方向へのこじり力に弱く、▲２▼下方向に外れ易いといった欠点があり、更には、弾性アーム１ｂ１　の軸線上に前記突起１ａが突設されることも相俟って、Ｌ長が確保しづらくなる結果、▲３▼同アーム１ｂ１　のバネ特性が得られず（Ｌ長が短くなり）、▲４▼コンタクト１の位置決め（突き当て）が困難であるなどの問題がある。
【０００４】
本発明は斯かる問題点に鑑みてなされたもので、コネクタの上下方向に肉厚が要らない分、更なる低ハイト化を図ることができると共に、コンタクトの上方向へのこじり力の強度アップと共に、意に反した下方向への脱落を防止できるなど、コンタクトの位置決め及び固定が頗る簡単にできる有用な電気コネクタを提供することを目的とするものである。
【０００５】
【課題を解決するための手段】
上述の如き従来の問題点を解決し、所期の目的を達成するため本発明の要旨とする構成は、複数のコンタクトを収容して回路基板上に実装されるハウジングと、該ハウジングに摺動自在に組み付けられるスライド部材とを備え、前記ハウジングに受容されるフレキシブル基板を前記スライド部材と前記コンタクトとの間に弾性的に狭持して同フレキシブル基板とコンタクトを電気的に接続せしめる電気コネクタにおいて、前記コンタクトの厚み方向に突起を設けると共に、前記ハウジングのコンタクト挿入孔に、前記突起を受容する凹部を形成してなる電気コネクタに存する。
【０００６】
このように構成される本発明の電気コネクタは、前記コンタクトの厚み方向に突起を設けると共に、前記ハウジングのコンタクト挿入孔に、前記突起を受容する凹部を形成したことによって、コンタクトの誤挿入を阻止し得ると共に、コネクタの下面に肉厚が要らない分、更なる低ハイト化を実現し得ることとなり、また、コンタクトの上方向へのこじり力の強度アップと共に、意に反した下方向への脱落を完全に阻止し得ることとなる。
【０００７】
【発明の実施の形態】
次に、本発明の実施例の一例を図面を参照しながら説明する。尚、理解を容易にするため、前述した従来例と同一部分は同一符号で示し、構成の異なる処のみを新たな番号を付して以下に説明する。
【０００８】
図中Ａは、本発明に係る電気コネクタであり、この電気コネクタＡは、図１乃至図２に拡大して示すように、複数のコンタクト１，１…を収容して回路基板Ｂ（図８参照）に実装されるハウジング２と、該ハウジング２に対して摺動自在に組み付けられるスライド部材４と、該スライド部材４と前記ハウジング２との間に補強的に取り付けされるホールドダウン部材５とを備えている。
【０００９】
コンタクト１，１…は、一方側にＦＰＣ／ＦＦＣを狭持する二股状接触片１ｂが延設されている。この二股状接触片１ｂは、図３に示すように、保持固定部１ｃから水平方向に二股に分岐する上側弾性アーム１ｂ１　と下側弾性アーム１ｂ２　とからなり、その先端部側にＦＰＣ／ＦＦＣと接合する接触子（接続部）１ｂ３　，１ｂ３　が設けられている。
【００１０】
また、各コンタクト１，１…の厚み方向に突起１ｄが突設されている。この突起１ｄは、保持固定部１ｃの中央位置を略矩形状に切り起こしてなるものであり、後述するハウジング２の横孔（凹部）２ａ２　に圧入状態で係合される。
【００１１】
ハウジング２は、例えば、ＬＣＰ樹脂等の絶縁材料から成形されており、図４乃至図６に示すように、複数のコンタクト挿入孔２ａ，２ａ…が形成されている。
【００１２】
このコンタクト挿入孔２ａ，２ａ…は、図５（ｂ）に拡大して示すように、長手方向一端（上端）２ｂ側に前記二股状接触片１ｂの保持固定部１ｃが受容される縦溝２ａ１　と、該縦溝２ａ１　の横に連通すべく凹設されて前記突起１ｄを圧入保持せしめる横孔２ａ２　とを備えている。
【００１３】
また、ハウジング２の幅方向両端（左右両側端）２ｄ，２ｅには、後述するスライド部材４を構成するロックアーム４ａの係合爪４ｂと係合する係合孔２ｆが形成されている。
【００１４】
一方、スライド部材４は、例えば、ＰＰＳ樹脂等の絶縁材料から成形されており、幅方向両端２ｄ，２ｅにロックアーム４ａ，４ａが突設されている。
【００１５】
このロックアーム４ａ，４ａは、前記ハウジング２の幅方向両端２ｄ，２ｅを包持すべく結合されるものであり、先端側に係合爪４ｂ，４ｂが形成されている。
【００１６】
また、ロックアーム４ａ，４ａ間には、ＦＰＣ／ＦＦＣ用の保持部４ｃが形成されると共に、その長手方向端縁４ｃ１　に沿って平行にスリット溝４ｄが凹設されている。
【００１７】
他方、ホールドダウン部材５は、前記ハウジング２の長手方向他端（下端）２ｃ側に取り付けされるものであり、その長手方向に沿って平行に補強用リブ５ａが稜線状に突設されている。
【００１８】
因に、このホールドダウン部材５は、ハウジング２の幅方向両端２ｄ，２ｅ側に突出する連結アーム（図示せず）を介して同ハウジング２に組み付けされると共に、回路基板Ｂ上に安定的に固定されるものである。
【００１９】
このように構成される本発明の電気コネクタＡは、ハウジング２に対してスライド部材４を簡単に取り付けできると共に、ホールドダウン部材５を介在して回路基板Ｂ上に安定的に組み付けできる。また、前記ハウジング２内に受容されるＦＰＣは、前記スライド部材４と前記コンタクト１との間に弾性的に狭持されて同ＦＰＣとコンタクト１，…１とを電気的に接続せしめることができる。
【００２０】
また、コンタクト１，１…をハウジング２のコンタクト挿入孔２ａ，２ａ…に挿入する際、同コンタクト１の突起１ｄとハウジング２の横孔２ａ２　とが整合する方向でしか圧入できないめ、同コンタクト１，１…の誤挿入をも阻止できる。
【００２１】
また、本発明の電気コネクタＡの場合は、下面（上下方向）に肉厚が要らない分、更なる低ハイト化を実現でき、また、コンタクト挿入孔２ａ，２ａ…が、図５（ｂ）に拡大して示すように、二股状接触片１ｂの保持固定部１ｃが受容される縦溝２ａ１　と連通すべく凹設された横孔２ａ２　に、各コンタクト１の突起１ｄを圧入状態でロック保持するため、同コンタクト１，１…は、上方向へのこじり力がアップすると共に、意に反した下方向への脱落を完全に阻止することができる。
【００２２】
しかも、ハウジング２とスライド部材４とは、ホールドダウン部材５を介在してロックアーム４ａがハウジング２の両側面を包持すべく係合されるため、安易に解除されにくく、ＦＰＣ３との安定した信頼性の高い電気的接続が実現される。
【００２３】
尚、本発明はこれら実施例に限定されることなく、本発明の目的の範囲内で自由に設計変更し得るものであり、本発明はそれらの全てを包摂するものである。例えば、本実施例では、ＦＰＣ用の電気コネクタについて説明しているが、これに限定されることなく、ＦＦＣ、デジタルカメラ、携帯電話、ノートパソコン、ＰＤＡ等用のコネクタとしても使用できることは云うまでもない。
【００２４】
【発明の効果】
本発明の電気コネクタは、前記コンタクトの厚み方向に突起を設けると共に、前記ハウジングのコンタクト挿入孔に、前記突起を受容する凹部を形成したことによって、コンタクトの誤挿入を阻止できると共に、コネクタの下面に肉厚が要らない分、更なる低ハイト化を実現でき、また、コンタクトの上方向へのこじり力の強度アップと共に、意に反した下方向への脱落を完全に阻止できるといった効果を奏するものである。
【００２５】
また、本発明の電気コネクタは、ハウジングを補強すべくホールドダウン部材を介して回路基板上に固定できるため、ＦＰＣ／ＦＦＣは各コンタクトと安定した信頼性の高い電気的接続が実現できる。
【００２６】
このように本発明の電気コネクタは、コンタクトの上方向へのこじり力の強度アップと共に、ＦＰＣ／ＦＦＣとコンタクトとを確実に接続できる他、コンタクトの誤挿入やピッチエラーをも防止でき、また、構成が単純であるため大量生産に適し、価格も低廉なものとして需要者に供給できるなど、本発明を実施することはその実益的価値が甚だ大である。
【図面の簡単な説明】
【図１】図１（ａ）は本発明に係る電気コネクタを示す平面図、図１（ｂ）は同コネクタの正面図である。
【図２】図２（ａ）は図１（ｂ）に示すＸ−Ｘ線断面図、図２（ｂ）は同電気コネクタの側面図である。
【図３】図３（ａ）は本実施例で使用するコンタクトの正面図、図３（ｂ）は同平面図である。
【図４】図４（ａ）は本実施例で使用するハウジングの正面図、図４（ｂ）は同平面図である。
【図５】図５（ａ）は図４（ａ）に示すＸ−Ｘ線断面図、図５（ｂ）は同Ｙ−Ｙ線断面図、図５（ｃ）は同Ｚ−Ｚ線断面図である。
【図６】図６（ａ）は同ハウジングの背面図、図６（ｂ）は同底面図、図６（ｃ）は図６　　（ａ）に示すＣ部の拡大図である。
【図７】図７（ａ）は本実施例で示すスライド部材の平面図、図７（ｂ）は同正面図、図７（ｃ）は図７（ａ）に示すＸ−Ｘ線断面図である。
【図８】図８（ａ）は従来の電気コネクタを示す組立分解図、図８（ｂ）は同縦断面図であ
る。
【符号の説明】
Ａ　　電気コネクタ
Ｂ　　回路基板
１　コンタクト
１ａ　突起
１ｂ　二股状接触片
１ｂ１　上側弾性アーム
１ｂ２　下側弾性アーム
１ｂ３　接触子（接続部）
１ｃ　保持固定部
１ｄ　突起
２　ハウジング
２ａ　コンタクト挿入孔
２ａ１　縦溝
２ａ２　横孔
２ｂ　　長手方向一端（上端）
２ｃ　　長手方向他端（下端）
２ｄ　幅方向一端（左端）
２ｅ　幅方向他端（右端）
３　ＦＰＣ
３ａ　ランド
４　スライド部材
４ａ　　ロックアーム
４ｂ　係合爪
４ｃ　保持部
４ｃ１　長手方向端縁
４ｄ　スリット溝
５　ホールドダウン部材
５ａ　　補強用リブ
【図１】
2004079303.tif 000003
【図２】
2004079303.tif 000004
【図３】
2004079303.tif 000005
【図４】
2004079303.tif 000006
【図５】
2004079303.tif 000007
【図６】
2004079303.tif 000008
【図７】
2004079303.tif 000009
【図８】
2004079303.tif 000010